(57)【特許請求の範囲】
【請求項１】
入力軸（１）の回転数が所定値以上になると接続状態となって入力軸（１）の回転トルクを負荷側へ伝達する入力回転数依存型のクラッチ（Ｃ）を備えた動力伝達装置において，
前記クラッチを，入力軸（１）及び負荷側の一方に連なるボス部（２０ｂ）を内周に有すると共に外周に円筒部（２０ａ）を有するクラッチアウタ（２０）と，このクラッチアウタ（２０）の前記円筒部（２０ａ）内に配置される円筒部（２１ａ）を有して，入力軸（１）及び負荷側の他方に連なるクラッチインナ（２１）と，クラッチアウタ（２０）の前記円筒部（２０ａ）及びクラッチインナ（２１）の前記円筒部（２１ａ）の対向周面間に介裝され，入力軸（１）の回転数が所定値以上になると前記対向周面にロック係合する複数のスプラグ（２３，５５）とからなる一方向クラッチ（Ｃ）で構成する一方，
クラッチインナ（２１）の前記円筒部（２１ａ）を，これがクラッチアウタ（２０）の前記ボス部（２０ｂ）を囲繞するように配置して，クラッチインナ（２１）の前記円筒部（２１ａ）及びクラッチアウタ（２０）の前記ボス部（２０ｂ）の対向周面間に，負荷側から入力軸（１）へのバックロードの伝達を許容する一方向クラッチ（３５）を介裝したことを特徴とする，動力伝達装置。
【請求項２】
請求項１記載の動力伝達装置において，
前記一方向クラッチ（Ｃ）の出力側の伝動経路に，該クラッチ（Ｃ）の接続時に生ずるトルクショックを吸収するトルク緩衝手段（Ｔ）を介裝したことを特徴とする，動力伝達装置。
【請求項３】
請求項２記載の動力伝達装置において，
前記トルク緩衝手段を，前記一方向クラッチ（Ｃ）の出力側に連なるポンプ羽根車（４０）と，負荷側に連なるタービン羽根車（４１）とを備える流体伝動装置（Ｔ）で構成したことを特徴とする，動力伝達装置。
【請求項４】
請求項３記載の動力伝達装置において，
前記流体伝動装置（Ｔ）を，ポンプ羽根車（４０）に一体的に連設されて前記タービン羽根車（４１）の背面を覆うサイドカバー（４８）と，前記タービン羽根車（４１）に一体に結合されるタービン軸（５０）とを備えて構成し，前記サイドカバー（４８）と前記タービン軸（５０）との間に，前記タービン軸（５０）から前記サイドカバー（４８）へのバックロードの伝達を許容する一方向クラッチ（４９）を介裝したことを特徴とする，動力伝達装置。
【発明の詳細な説明】
【０００１】
【発明の属する技術分野】
本発明は，入力軸の回転数が所定値以上になると接続状態となって入力軸の回転トルクを負荷側へ伝達する入力回転数依存型のクラッチを備えた動力伝達装置に関する。
【０００２】
【従来の技術】
従来の動力伝達装置では，入力回転数依存型クラッチとして，多板摩擦クラッチと遠心機構とを組み合わせてなる遠心クラッチ（例えば特開昭６２−２１５１３１号公報参照）や，クラッチシューをクラッチドラムの内周面に遠心力で押しつけるシュータイプのものが広く使用されている。
【０００３】
【発明が解決しようとする課題】
ところが，上記従来の遠心クラッチは，部品点数が比較的多く高価なものであるため，動力伝達装置のコスト低減を困難にしている。
【０００４】
本発明は，かゝる事情に鑑みてなされたもので，回転数依存型のクラッチを，スプラグを用いた安価な一方向クラッチで構成し得るようにして，動力伝達装置のコストの低減を図ることを目的とする。
【０００５】
【課題を解決するための手段】
上記目的を達成するために，本発明は，入力軸の回転数が所定値以上になると接続状態となって入力軸の回転トルクを負荷側へ伝達する入力回転数依存型のクラッチを備えた動力伝達装置において，前記クラッチを，入力軸及び負荷側の一方に連なるボス部を内周に有すると共に外周に円筒部を有するクラッチアウタと，このクラッチアウタの前記円筒部内に配置される円筒部を有して，入力軸及び負荷側の他方に連なるクラッチインナと，クラッチアウタの前記円筒部及びクラッチインナの前記円筒部の対向周面間に介裝され，入力軸の回転数が所定値以上になると前記対向周面にロック係合する複数のスプラグとからなる一方向クラッチで構成する一方，クラッチインナの前記円筒部を，これがクラッチアウタの前記ボス部を囲繞するように配置して，クラッチインナの前記円筒部及びクラッチアウタの前記ボス部の対向周面間に，負荷側から入力軸へのバックロードの伝達を許容する一方向クラッチを介裝したことを第１の特徴とする。上記入力軸は，後述する本発明の実施例におけるクランク軸１に対応する。
【０００６】
この第１の特徴によれば，入力回転数依存型のクラッチを，部品点数が少なく構成の簡単な一方向クラッチで構成することができ，したがってその低廉化により動力伝達装置のコスト低減を図ることができる。
【０００７】
また本発明は，上記第１の特徴に加えて，前記一方向クラッチの出力側の伝動経路に，該クラッチの接続時に生ずるトルクショックを吸収するトルク緩衝手段を介裝したことを第２の特徴とする。上記トルク緩衝手段は，後述する本発明の実施例におけるトルクコンバータＴに対応する。
【０００８】
この第２の特徴によれば，前記一方向クラッチが接続時にトルクショックを発生しても，これをトルク緩衝手段の緩衝機能によって吸収して，スムーズな動力伝達を行うことができる。
【０００９】
さらに本発明は，第２の特徴に加えて，前記トルク緩衝手段を，前記一方向クラッチの出力側に連なるポンプ羽根車と，負荷側に連なるタービン羽根車とを備える流体伝動装置で構成したことを第３の特徴とする。上記流体伝動装置は，後述する本発明の実施例におけるトルクコンバータＴに対応する。
【００１０】
この第３の特徴によれば，前記一方向クラッチで発生したトルクショックを，流体伝動装置のポンプ羽根車及びタービン羽根車間の滑りにより効果的吸収することができる。
【００１１】
さらに本発明は，第３の特徴に加えて，前記流体伝動装置を，ポンプ羽根車に一体的に連設されて前記タービン羽根車の背面を覆うサイドカバーと，前記タービン羽根車に一体に結合されるタービン軸とを備えて構成し，前記サイドカバーと前記タービン軸との間に，前記タービン軸から前記サイドカバーへのバックロードの伝達を許容する一方向クラッチを介裝したことを第４の特徴とする。
【００１２】
【発明の実施の形態】
本発明の実施の形態を，添付図面に示す本発明の一実施例に基づいて以下に説明する。
【００１３】
図１は本発明の動力伝達装置を備えた自動二輪車用パワーユニットの縦断面図，図２は上記動力伝達装置の要部拡大図，図３は図２の３−３線断面図（入力回転数依存型一方向クラッチの非接続状態を示す），図４は図２の４−４線展開図，図５は図４におけるリテーナの要部斜視図，図６は上記一方向クラッチの半接続状態を示す作用説明図，図７は上記一方向クラッチの接続状態を示す作用説明図，図８は上記一方向クラッチの変形例を非接続状態で示す，図３に対応した断面図，図９はこの一方向クラッチの接続状態を示す作用説明図である。
【００１４】
先ず，図１において，自動二輪車用パワーユニットＰは，車両の左右方向に配置されるクランク軸１をクランクケース２に左右一対のベアリング３，３′を介して支持するエンジンＥと，クランクケース２に一体に連設されるミッションケース４に収容されるミッション５とを備える。クランク軸１の，クランクケース２外に突出した右端部には，入力回転数依存型の一方向クラッチＣと，該クラッチＣの出力側に連結されるトルクコンバータＴとが設けられ，このトルクコンバータＴの出力側に１次減速装置６を介してミッション５が連結される。一方向クラッチＣ及びトルクコンバータＴは，クランクケース２の側面に接合されるケースサイドカバー７によって覆われる。クランク軸１は，このケースサイドカバー４８によってもベアリング８を介して支持される。
【００１５】
以上において，入力回転数依存型一方向クラッチＣ，トルクコンバータＴ，１次減速装置６及びミッション５は協働して動力伝達装置Ｍを構成する。
【００１６】
ミッション５は，それぞれクランク軸１と平行にミッションケース４に支持されるミッション入力軸１０及びミッション出力軸１１と，ミッション入力軸１０に回転自在に支持される駆動ギヤ１２と，ミッション出力軸１１にスプライン結合されて駆動ギヤ１２と噛合する被動ギヤ１３と，ミッション入力軸１０及び駆動ギヤ１２間をオン・オフするドグクラッチ１４と，このドグクラッチ１４をオン・オフ作動するシフト装置１５とから構成される。
【００１７】
ミッション入力軸１０の右端には，前記１次減速装置６の被動ギヤ６ｂが結合され，ミッション出力軸１１の左端には，図示しない後輪（負荷）を駆動する２次減速装置１６が連結される。またミッション入力軸１０及びミッション出力軸１１間には，キックスタータ用ギヤ列１７が設けられる。
【００１８】
クランク軸１の左端部には，発電機１８のロータ１８ａが取付けられる。
【００１９】
前記入力回転数依存型一方向クラッチＣについて図２〜図５により詳細に説明する。
【００２０】
一方向クラッチＣは，クランク軸１にボス２０ｂをスプライン結合するクラッチアウタ２０と，このクラッチアウタ２０の円筒部２０ａ内に円筒部２１ａを配置してクランク軸１にベアリング２２を介して相対回転可能に支持されるクラッチインナ２１と，これらクラッチアウタ２０の円筒部２０ａ及びクラッチインナ２１の円筒部２１ａの対向周面間に周方向に配列して介裝される多数のスプラグ２３，２３…と，これらスプラグ２３，２３…を保持するリテーナ２４と，これらスプラグ２３，２３…を半径方向外方，即ちクラッチアウタ２０の円筒部２０ａ側へ付勢する戻しばね２５とから構成される。
【００２１】
図３及び図４に明示するように，戻しばね２５は，弾性線材を円形に曲げて，その反発力により全スプラグ２３，２３…を一斉に半径方向外方に付勢するようになっている。各スプラグ２３には，この戻しばね２５が係合するばね溝２６が設けられる。このばね溝２６は，戻しばね２５の外周面に適合し得る周方向溝部２６ａと，この周方向溝部２６ａの前端（クラッチアウタ回転方向Ｒ前方側）から半径方向外方へ屈曲した半径方向溝部２６ｂとが設けられる。
【００２２】
また各スプラグ２３には，クラッチアウタ２０の円筒部２０ａ内周面に対向する第１係合面２７と，クラッチインナ２１の外周面に対向する第２係合面２８とが設けられる。第１係合面２７は，クラッチアウタ２０の円筒部２０ａ内周面を転がり得るように円弧状をなし，第２係合面２８は，ばね溝２６に沿って中間部を屈曲させた略Ｌ字状をなしている。そして周方向溝部２６ａに沿った方向で対向する第１及び第２係合面２７，２８間の距離Ｌ１はクラッチアウタ２０及びクラッチインナ２１の円筒部２０ａ，２１ａの対向周面間の距離Ｌ２より大きく，また半径方向溝部２６ｂに沿った方向で対向する両係合面２７，２８間の距離Ｌ３は上記対向周面間の距離Ｌ２より小さく設定される。
【００２３】
リテーナ２４は，線材をジグザグに屈曲させると共に，これを円形に曲げてなるもので，多数のスプラグ２３，２３…の間を交互に通過することにより，スプラグ２３，２３…の配列間隔を規制するようになっている。このリテーナ２４を構成する線材の両端部は，互いに突き合わせてから半径方向外方へ屈曲させて回り止め爪２９とされ，この回り止め爪２９は，クラッチアウタ２０の円筒部２０ａ内周面に設けられた回り止め溝３０に挿入される。こうすることにより，リテーナ２４は全部のスプラグ２３，２３…を伴ってクラッチアウタ２０と共に回転するようになっている。
【００２４】
さらに各スプラグ２３には，その中心部より半径方向溝部２６ｂ側にオフセットした箇所に肉抜き孔３１が設けられ，これによってスプラグ２３の重心Ｇは，スプラグ２３の中心部より半径方向溝部２６ｂと反対側にオフセットした点に設定される。
【００２５】
図２に示すように，クラッチアウタ２０には，全部のスプラグ２３，２３…の左右両側面に対向する一対の側板３２，３２′が止め環３３によって取付けられ，各スプラグ２３の軸方向移動を拘束するようになっている。
【００２６】
またクラッチインナ２１の円筒部２１ａは，クラッチアウタ２０のボス２０ｂを囲繞するように配置され，これら円筒部２１ａ及びボス２０ｂの対向周面間には，バックロード伝達用の一方向クラッチ３５が介裝される。これによりクラッチインナ２１からクラッチアウタ２０側へのバックロードの伝達が可能となる。
【００２７】
次に，前記トルクコンバータＴについて図１及び図２を参照しながら説明する。
【００２８】
トルクコンバータＴは，入力回転数依存型一方向クラッチＣよりクランクケース２側に配置される。このトルクコンバータＴは，クラッチインナ２１に一体的に結合されるポンプ羽根車４０と，これに対向して配置されるタービン羽根車４１と，これら羽根車４０，４１間に配置されるステータ羽根車４２とからなる一般的構成を有するもので，その内部は作動オイルで満たされる。
【００２９】
ステータ羽根車４２は，クランク軸１の外周にベアリング４３を介して相対回転自在に嵌合したステータ軸４４にフリーホイール４５を介して連結され，ステータ軸４４は，その左端部に形成したフランジ４４ａがクランクケース２にボルト４６で固着される。
【００３０】
タービン羽根車４１に一体的に結合されるタービン軸５０は，ベアリング４７を介してステータ軸４４に支持され，このタービン軸５０の左端部に，１次減速装置６の駆動ギヤ６ａが一体に形成される。したがって，１次減速装置６は，クランクケース２とトルクコンバータＴとの間に配置される。
【００３１】
ポンプ羽根車４０には，タービン羽根車４１の背面を覆うサイドカバー４８が一体的に連設され，このサイドカバー４８とタービン軸５０との間にバックロード伝達用の一方向クラッチ４９が介裝される。これによりタービン軸５０からポンプ羽根車４０側へのバックロードの伝達が可能となる。
【００３２】
次に，この実施例の作用について説明する。
【００３３】
入力回転数依存型一方向クラッチＣにおいては，通常，図３に示すように，戻しばね２５が各スプラグ２３の周方向溝部２６ａに係合しながら，第１係合面２７をクラッチアウタ２０の円筒部２０ａ内周面に押圧しており，これに伴い第２係合面２８はクラッチインナ２１の円筒部２１ａ外周面から引き離される。これが一方向クラッチＣの非接続状態である。エンジンＥのアイドリング時には，この状態が維持され，クラッチアウタ２０の回転はクラッチインナ２１に伝達されない。
【００３４】
車両を発進すべくクランク軸１の回転数を上げと，それと共にクラッチアウタ２０及びスプラグ２３，２３…の回転数が上昇し，各スプラグ２３の重心Ｇに加わる遠心力が増加するため，各スプラグ２３は，戻しばね２５の反発力に抗して重心Ｇを半径方向外方へ移動させるようにクラッチアウタ２０の円筒部２０ａ内周面を転がって，図６に示すように，距離Ｌ１の部分を立ち上がらせ，第２係合面２８をクラッチインナ２１の円筒部２１ａ外周面に軽く接触させ，それら接触面相互を適当に滑らせながらクラッチアウタ２０の回転トルクをクラッチインナ２１に伝達し始める。この状態が半接続状態である。
【００３５】
クランク軸１の回転数が更に上昇すると，各スプラグ２３の重心Ｇに加わる遠心力の更なる増加により，各スプラグ２３は，距離Ｌ１の部分を更に立ち上がらせるため，第１係合面２７はクラッチアウタ２０の円筒部２０ａ内周面と，第２係合面２８はクラッチインナ２１の円筒部２１ａ外周面とそれぞれロック係合状態に入る。この状態が接続状態であり，クラッチアウタ２０からスプラグ２３，２３…を介してクラッチインナ２１にロス無く動力伝達することができる。
【００３６】
入力回転数依存型一方向クラッチＣの接続状態に伴い，クランク軸１の回転がポンプ羽根車４０に伝達されると，トルクコンバータＴ内の作動オイルが，ポンプ羽根車４０の外周側から，タービン羽根車４１及びステータ羽根車４２を順次経てポンプ羽根車４０の内周側に戻るようにトルクコンバータＴ内を循環して，ポンプ羽根車４０の回転トルクをタービン羽根車４１に伝達し，タービン軸５０から１次減速装置６を駆動するようになる。この間，ポンプ羽根車４０及びタービン羽根車４１間でトルクの増幅作用が生ずれば，それに伴う反力がステータ羽根車４２に負担され，ステータ羽根車４２は，フリーホイール４５のロック作用により固定のステータ軸４４に支持される。
【００３７】
タービン軸５０から１次減速装置６が駆動されると，その駆動トルクは，ミッション５のミッション入力軸１０へと伝達される。このときドグクラッチ１４がオン位置にあれば，ミッション入力軸１０の駆動トルクは，駆動及び被動ギヤ１２，１３，ミッション出力軸１１を順次経て２次減速装置１６へと伝達され，図示しない自動二輪車の後輪を駆動することになる。
【００３８】
ところで，入力回転数依存型一方向クラッチＣの半接続状態の期間は，一般の遠心クラッチの場合に比して短いので，これが接続状態に入ったとき比較的大きなトルクショックがクラッチインナ２１からトルクコンバータＴに伝達されるが，このような場合，トルクコンバータＴは，ポンプ羽根車４０及びタービン羽根車４１間を滑らせてトルク緩衝機能を発揮し，上記トルクショックを吸収する。したがって，半接続状態の期間が短い一方向クラッチＣを用いても，クランク軸１の回転数に応じたスムーズな発進が可能となる。
【００３９】
しかも，この入力回転数依存型一方向クラッチＣは，クラッチアウタ２０，クラッチインナ２１，スプラグ２３及び戻しばね２５を構成要素とするので，部品点数が遠心クラッチに比べて非常に少なく，構成が簡単であり，したがってその低廉化により動力伝達装置Ｍのコスト低減を大いに図ることができる。
【００４０】
車両の減速時，バックロードが１次減速装置６からタービン軸５０に伝達されると，一方向クラッチ４９が接続状態となって，タービン軸５０及びサイドカバー４８間を直結するので，上記バックロードはタービン軸５０からサイドカバー４８を介してポンプ羽根車４０へ，さらに入力回転数依存型一方向クラッチＣのクラッチインナ２１へと伝達される。すると，一方向クラッチ３５も接続状態となるので，クラッチインナ２１に伝達されたバックロードは，クラッチアウタ２０を経てクランク軸１に伝達される。したがって，タービン羽根車４１及びポンプ羽根車４０間に滑りを起こさせず，またクラッチインナ２１クラッチアウタ２０間でも滑りを起こさせることがなく，良好なエンジンブレーキ効果を得ることができる。
【００４１】
次に，図８及び図９により，入力回転数依存型一方向クラッチＣの変形例について説明する。
【００４２】
この一方向クラッチＣは，クラッチアウタ２０の円筒部２０ａと，クラッチインナ２１の円筒部２１ａとの間に，内輪５１及びそれを囲繞する外輪５２が配設される。これら内輪５１及び外輪５２は，多数の保持孔５３，５４をそれぞれ備えており，これら保持孔５３，５４によって，クラッチアウタ２０及びクラッチインナ２１の円筒部２０ａ，２１ａ間に介裝される多数の繭形スプラグ５５，５５…の半径方向両端部が揺動可能に保持される。内輪５１及び外輪５２は，これらの一方の相対回転時にはスプラグ５５，５５…に傾斜姿勢を与えて，スプラグ５５，５５…をクラッチアウタ２０及びクラッチインナ２１の円筒部２０ａ，２１ａの対向周面に対して非係合の状態となし（非接続状態，図８参照），内輪５１及び外輪５２の他方の相対回転時には，スプラグ５５，５５…に起立姿勢を与えてクラッチアウタ２０及びクラッチインナ２１の円筒部２０ａ，２１ａの対向周面に対してロック係合の状態となす（接続状態，図９参照）。
【００４３】
外輪５２には，その外周面から半径方向外方に突出する回り止め爪５６が設けられ，これがクラッチアウタ２０の円筒部２０ａ内面の回り止め溝５７に係合される。したがって，外輪５２は，常にスプラグ５５，５５…及び内輪５１を伴ってクラッチアウタ２０と一体回転するようになっている。
【００４４】
内輪５１及び外輪５２間には，スプラグ５５，５５…を相互に弾力的に連結する弾性リング６３が配設される。
【００４５】
また内輪５１には，遠心重錘５８が枢軸５９を介して連結され，その重錘部５８ａを半径方向に揺動自在とすると共に，この遠心重錘５８に設けた長孔６０に外輪５２に固着された連結ピン６１が嵌合される。この遠心重錘５８は，その重錘部５８ａを半径方向内方へ揺動させると，スプラグ５５，５５…に傾斜姿勢を与える方向に内輪５１及び外輪５２が相対回転し，重錘部５８ａを半径方向外方へ揺動させると，スプラグ５５，５５…に起立姿勢を与える方向に内輪５１及び外輪５２が相対回転するようになっている。その重錘部５８ａが半径方向内方に向かうように遠心重錘５８を付勢する戻しばね６２が枢軸５９に装着される。
【００４６】
その他の構成は，上記実施例と同様である。
【００４７】
而して，この一方向クラッチＣでは，通常，図８に示すように，戻しばね６２の付勢力により遠心重錘５８が半径方向内方に揺動され，それに伴う内輪５１及び外輪５２の相対回転によりスプラグ５５，５５…は傾斜姿勢に保持されるので，一方向クラッチＣは非接続状態となっている。エンジンＥのアイドリング時には，この状態が維持され，クラッチアウタ２０の回転はクラッチインナ２１に伝達されない。。
【００４８】
車両を発進すべくクランク軸１の回転数を上げと，クラッチアウタ２０，外輪５２，内輪５１，スプラグ５５，５５…及び遠心重錘５８の回転数の上昇に伴い，遠心重錘５８の重錘部５８ａに加わる遠心力が増加するため，遠心重錘５８は，重錘部５８ａを半径方向外方へ移動させるように，戻しばね６２の反発力に抗して枢軸５９周りに揺動し，内輪５１及び外輪５２に，先刻とは反対方向に相対回転させて，スプラグ５５，５５…に起立姿勢を与え，一方向クラッチＣを接続状態にする。したがって，クラッチアウタ２０からスプラグ５５，５５…を介してクラッチインナ２１にロス無く動力伝達することができる。
【００４９】
この場合も，非接続状態から接続状態に移行する間の半接続状態の期間は極めて短く，接続状態となったときトルクショックが発生するが，このトルクは後段のトルクコンバータＴにおいて吸収されるので，車両のスムーズな発進を達成する。
【００５０】
本発明は上記各実施例に限定されるものではなく，その要旨を逸脱しない範囲で種々の設計変更が可能である。例えば，トルクコンバータＴを，ポンプ羽根車及びタービン羽根車を備えた流体継手で置き換えることもでき，またばねを用いた他のトルクダンパで置き換えることもできる。
【００５１】
【発明の効果】
以上のように本発明の第１の特徴によれば，入力回転数依存型のクラッチを，部品点数が少なく構成の簡単な一方向クラッチで構成することができ，したがってその低廉化により動力伝達装置のコスト低減を図ることができる。
【００５２】
また本発明の第２の特徴によれば，前記一方向クラッチの出力側の伝動経路に，該クラッチの接続時に生ずるトルクショックを吸収するトルク緩衝手段を介裝したので，前記一方向クラッチの接続時にトルクショックが発生しても，これをトルク緩衝手段の緩衝機能によって吸収して，スムーズな動力伝達を可能にする。
【００５３】
さらに本発明の第３の特徴によれば，前記トルク緩衝手段を，前記一方向クラッチの出力側に連なるポンプ羽根車と，負荷側に連なるタービン羽根車とを備える流体伝動装置で構成したので，前記一方向クラッチで発生したトルクショックを，ポンプ羽根車及びタービン羽根車間の滑りにより効果的吸収することができる。
【図面の簡単な説明】
【図１】本発明の動力伝達装置を備えた自動二輪車用パワーユニットの縦断面図。
【図２】上記動力伝達装置の要部拡大図。
【図３】図２の３−３線断面図（入力回転数依存型一方向クラッチの非接続状態を示す）。
【図４】図２の４−４線展開図。
【図５】図４におけるリテーナの要部斜視図。
【図６】上記一方向クラッチの半接続状態を示す作用説明図。
【図７】上記一方向クラッチの変形例を非接続状態で示す，図３に対応した断面図。
【図８】上記一方向クラッチの変形例を非接続状態で示す，図３に対応した断面図。
【図９】この一方向クラッチの接続状態を示す作用説明図。
【符号の説明】
Ｃ・・・・・入力回転数依存型一方向クラッチ
Ｍ・・・・・動力伝達装置
Ｔ・・・・・トルク緩衝手段，流体伝動装置（トルクコンバータ）
１・・・・・入力軸（クランク軸）
２０・・・・クラッチアウタ
２０ａ・・・円筒部
２０ｂ・・・ボス部
２１・・・・クラッチインナ
２１ａ・・・円筒部
２３・・・・スプラグ
３５・・・・一方向クラッチ
４０・・・・ポンプ羽根車
４１・・・・タービン羽根車
４８・・・・サイドカバー
４９・・・・一方向クラッチ
５０・・・・タービン軸
５５・・・・スプラグ
【図１】
0004364395.tif 000002
【図２】
0004364395.tif 000003
【図３】
0004364395.tif 000004
【図４】
0004364395.tif 000005
【図５】
0004364395.tif 000006
【図６】
0004364395.tif 000007
【図７】
0004364395.tif 000008
【図８】
0004364395.tif 000009
【図９】
0004364395.tif 000010